(57)【要約】【課題】紙葉類の台板への載置並びに取り外しを簡単に行える使い勝手の良い用箋挟みを提供する。【解決手段】紙葉類Ｓを載置する台板１と、この台板１の縁部１ａ近傍に回転可能に取り付けられて台板１との間に紙葉類Ｓを挟持する挟持体２とを具備し、挟持体２を台板１に向かって弾性付勢するように構成するに際して、台板１の縁部１ａ近傍に挟持体２と共に回転可能に杆体４を取り付け、この杆体４に、挟持体２が弾性付勢されて一部を台板１に圧接させる挟持位置にあるときにその圧接状態を妨げず、挟持体２が台板１から回転退避した開放位置にあるときに挟持体２に係わり合ってこれを開放位置に保持する機能を付与することとした。【選択図】図１
2004058537.tif 000002
【特許請求の範囲】
【請求項１】
紙葉類を載置する台板と、この台板の縁部若しくはその近傍に回転可能に取り付けられて該台板との間に紙葉類を挟持する挟持体と、挟持体を台板に向かって弾性付勢する付勢手段とを具備してなるものにおいて、
前記台板の縁部若しくはその近傍に挟持体と共に回転可能に杆体を取り付け、この杆体に、挟持体が付勢手段に付勢されて一部を台板に圧接させる挟持位置にあるときにその圧接状態を妨げず、挟持体が台板から回転退避した開放位置にあるときに該挟持体に係わり合ってこれを開放位置に保持する機能を付与したことを特徴とする用箋挟み。
【請求項２】
挟持体と杆体との係わり合いの位置から挟持体の回転中心までの距離に対して、前記係わり合いの位置から杆体の回転中心までの距離が小さくなるように各々の回転中心を設定し、これにより杆体の挟持位置からの立ち上がりを挟持体よりも先行させて、挟持体に作用する付勢力を該杆体の回転中心に向かう圧縮応力により支持するようにしている請求項１記載の用箋挟み。
【請求項３】
杆体が、挟持体を回転操作する操作部の役割を兼ねている請求項１又は２記載の用箋挟み。
【請求項４】
杆体が、挟持体と共に挟持位置において台板との間に紙葉類を挟持する役割を兼ねている請求項３記載の用箋挟み。
【請求項５】
挟持体が、回転中心から径方向に延びるアーム部と、このアーム部の先端側から台板の縁部に沿って延びる押さえ部とを具備する杆状をなすとともに、杆体が、回転中心から前記アーム部と略平行に延びるアーム部と、このアーム部の先端側から前記押さえ部と略平行に延びる操作部とを具備するものであり、挟持体若しくは杆体の少なくとも何れか一方のアーム部の一部に他方のアーム部と交叉して係わり合う部分を設け、その係わり合いの位置において杆体のアーム部に挟持体のアーム部の一部を下方から摺動可能に支持させるようにしている請求項３又は４記載の用箋挟み。
【請求項６】
挟持体が、左右のアーム部の先端側を押さえ部により連絡された少なくとも部分ループ状をなすものであり、杆体が、左右のアーム部の先端側を操作部により連絡された少なくとも部分ループ状をなすものである請求項５記載の用箋挟み。
【請求項７】
挟持体及び杆体が、同一の線条体を塑性変形加工することによって構成されたものである請求項６記載の用箋挟み。
【請求項８】
挟持位置において、挟持体の押さえ部と杆体の操作部とが台板の面方向に沿って並列配置される請求項５〜７記載の用箋挟み。
【請求項９】
挟持位置において、挟持体の押さえ部と杆体の操作部とが台板の法線方向に沿って重合配置される請求項５〜７記載の用箋挟み。
【発明の詳細な説明】
【０００１】
【発明の属する技術分野】
本発明は、紙やフィルム等の紙葉類を挟持する用箋挟みに関し、特にその使い勝手を有効に改善した用箋挟みに関するものである。
【０００２】
【従来の技術】
この種の用箋挟みとして、従来、線状又は板状の挟持体を台板の縁部に設け、ばね等の弾性力を利用して台板に挟持体を押圧付勢し、単葉あるいは複葉の紙葉類を台板に保持固定するものが主流を占めている。
【０００３】
【発明が解決しようとする課題】
しかしながら、このようなばね等の弾性力を利用して、挟持体を台板に向かって押圧付勢する構造では、挟持体を付勢しようとする力が常に働き続けているため、紙葉類を挿脱する際、挟持体に指で付勢力とは逆方向の力をかけて、挟持体と台板との間に隙間をつくり、その隙間に紙葉類を挿入しなければならずその操作が面倒であった。
【０００４】
また、一方の手で挟持体を開放させつつ、もう一方の手で台板を押さえながら書類を台板に載置せねばならず、紙葉類の枚数が多くなった場合、片手では書類を揃えながらの台板への載置作業は難しく、挟持された紙葉類の端縁が不揃いになるなどの不都合が生じていた。
【０００５】
本発明の目的は、上述した不具合を解消するために、挟持体を開放位置に保持すべく挟持体の近傍において共に回転する杆体を新たに採用し、この杆体を挟持体に係わり合わせることによって挟持体の開放位置から挟持位置への復帰動作を拘束して、紙葉類の台板への載置並びに取り外しを簡単に行える使い勝手の良い用箋挟みを提供することにある。
【０００６】
【課題を解決するための手段】
前述した目的を達成するために、本発明の用箋挟みは、紙葉類を載置する台板と、この台板の縁部若しくはその近傍に回転可能に取り付けられて該台板との間に紙葉類を挟持する挟持体と、挟持体を台板に向かって弾性付勢する付勢手段とを具備してなるものにおいて、前記台板の縁部若しくはその近傍に挟持体と共に回転可能に杆体を取り付け、この杆体に、挟持体が付勢手段に付勢されて一部を台板に圧接させる挟持位置にあるときにその圧接状態を妨げず、挟持体が台板から回転退避した開放位置にあるときに該挟持体に係わり合ってこれを開放位置に保持する機能を付与したものである。
【０００７】
このようにすれば、挟持体を保持するために操作力を加え続ける必要がなく、両手を放しても挟持体が開放位置に保持されるため、紙葉類の台板への載置作業等を必要であれば両手を使って有効に行うことができる。このため、操作の便が向上し、紙葉類の枚数が多くなった場合でも端縁を揃えて挟持させる作業等を的確に行うことが可能となる。
【０００８】
特に、挟持体と杆体との係わり合いの位置から挟持体の回転中心までの距離に対して、前記係わり合いの位置から杆体の回転中心までの距離が小さくなるように各々の回転中心を設定し、これにより杆体の挟持位置からの立ち上がりを挟持体よりも先行させて、挟持体に作用する付勢力を該杆体の回転中心に向かう圧縮応力により支持するようにしているものが好適である。
【０００９】
このようにすれば、挟持体に作用する付勢力が減殺されるため、あとは挟持体と杆体との間の抵抗などに基づいて簡易な構成で挟持体を開放位置に有効に保持することができる。
【００１０】
構造の簡素化と機能の充実とを有効に両立させるためには、杆体が、挟持体を回転操作する操作部の役割を兼ねているもの、特に、その杆体が、挟持体と共に挟持位置において台板との間に紙葉類を挟持する役割をも兼ねているものが望ましい。
【００１１】
このような機能を確保するために好適となる具体的な実施の態様としては、挟持体が、回転中心から径方向に延びるアーム部と、このアーム部の先端側から台板の縁部に沿って延びる押さえ部とを具備する杆状をなすとともに、杆体が、回転中心から前記アーム部と略平行に延びるアーム部と、このアーム部の先端側から前記押さえ部と略平行に延びる操作部とを具備するものであり、挟持体若しくは杆体の少なくとも何れか一方のアーム部の一部に他方のアーム部と交叉して係わり合う部分を設け、その係わり合いの位置において杆体のアーム部に挟持体のアーム部の一部を下方から摺動可能に支持させるようにしているものが挙げられる。特に、この様にすれば、杆体は回転中心から力点までの距離よりも回転中心から作用点までの距離の方が小さくなるため、てこの作用が働き、挟持体を直接操作する場合に比べて操作力の軽減を有効に図ることが可能になる。
【００１２】
押さえ機能と操作性を充実させるための構成としては、挟持体が、左右のアーム部の先端側を押さえ部により連絡された少なくとも部分ループ状をなし、杆体が、左右のアーム部の先端側を操作部により連絡された少なくとも部分ループ状をなしているものが挙げられる。なお、「ループ状」には、台板の面方向または法線方向の何れか一方向または両方向に沿って突出部分を含む立体的な形状のものも含まれる概念である。
【００１３】
製作容易で外観の統一をも図るためには、挟持体及び杆体が、同一の線条体を塑性変形加工することによって構成されていることが望ましい。
【００１４】
挟持体と杆体の配置の態様としては、挟持位置において、挟持体の押さえ部と杆体の操作部とが台板の面方向に沿って並列配置されるもの、或いは、挟持位置において、挟持体の押さえ部と杆体の操作部とが台板の法線方向に沿って重合配置されるものが挙げられる。
【００１５】
【発明の実施の形態】
以下、本発明の一実施形態を、図１〜図４を参照して説明する。
【００１６】
この実施形態の用箋挟みは、紙葉類Ｓを載置する台板１と、この台板１の一側縁側の縁部１ａ側に回転可能に取り付けられて該台板１との間に紙葉類Ｓを挟持する挟持体２と、挟持体２を台板１に向かって弾性付勢する付勢手段３（図３参照）と、前記挟持体２を開放位置に保持する杆体４とを具備する。
【００１７】
具体的に説明すると、台板１は、所定の紙葉類Ｓの大きさよりも若干大きい縦横寸法を有したもので、一側縁側の縁部１ａ近傍の上面に、第１の基盤部材１１及び第２の基盤部材１２を取り付けている。第１の基盤部材１１は挟持体２を回転可能に取り付けるためのものであり、第２の基盤部材１２は杆体４を回転可能に取り付けるためのものである。そのために、第１の基盤部材１１は平板部１１ａを台板１に固定され、一部に挟持体２の基端を内包し得るように筒状に折り曲げた軸受部１１ｂを形成しており、第２の基盤部材１２は平板部１２ａを前記第１の基盤部材１１の平板部１１ａに固定され、一部に杆体４の基端を内包し得るようにＣ字状に折り曲げた軸受部１２ｂを形成している。第１の基盤部材１１の軸受部１１ｂに対し、第２の基盤部材１２の軸受部１２ｂは縁部から遠い側に位置し、台板１からの突出高さが若干低く抑えられている。
【００１８】
挟持体２は、縁部１ａに沿って延び前記基盤部材１１に回転可能に支持される基端部２１と、この基端部２１から折り曲げられて径方向に延びるアーム部２２と、このアーム部２２の先端側から台板１の縁部１ａに沿って延びる押さえ部２３とを具備する杆状のものであり、左右のアーム部２２の先端側がこの押さえ部２３により連絡されて全体が基端部２１のみを分断された部分ループ状をなすように単一の金属製線材を塑性変形加工して作られている。基端部２１は前記第１の基盤部材１１の軸受部１１ｂ内に設けたねじりコイルバネ等の付勢手段３によって押さえ部２３を台板１に向けて圧接する方向に弾性付勢されている。
【００１９】
一方、杆体４は、前記挟持体２の基端部２１と略平行に延びる基端部４１と、この基端部４１から折り曲げられて一部が前記挟持体２のアーム部２２と略平行に延びるアーム部４２と、このアーム部４２の先端側から前記挟持体２の押さえ部２３と略平行に延びる操作部４３とを具備するものであり、左右のアーム部４２の先端側がこの操作部４３により連絡されて全体が基端部４１のみを分断された部分ループ状をなすように前記と同一の金属製線材を塑性変形加工して作られている。この杆体４は、基端部４１から僅かに径方向へ変位したアーム部４２の一部に、挟持体２のアーム部２２と略直交し、該アーム部２２の内側よりその下方を通過して外側に抜ける係わり合い部分４２ａを設けており、当該アーム部４２は通過後に再び挟持体２のアーム部２２と略平行に延び、そこで略直角に折れ曲がって、操作部４３を面方向に沿って押さえ部２３に対し縁部１ａから遠い側に略平行に位置づけている。
【００２０】
挟持体２の押さえ部２３及び杆体４の操作部４３の中央部分には、指の腹で操作することによってこれらを開放位置に起こし易くするための立ち上がり部２３ａ、４３ａが一部屈曲させて設けてある。
【００２１】
このように構成される用箋挟みにおいて、杆体４は、挟持体２が付勢手段３に付勢されて一部を台板１に圧接させる図４（ｂ）の挟持位置にあるときにその圧接状態を妨げず、挟持体２が台板１から回転退避した同図（ａ）の開放位置にあるときに該挟持体２に係わり合ってこれを開放位置に保持する機能を果たす。すなわち、この実施形態では、挟持体２と杆体４との係わり合いの位置Ｐ（この位置Ｐは移動する）から挟持体２の回転中心２ｘまでの距離Ｌ２に対して、前記係わり合いの位置Ｐから杆体４の回転中心４ｘまでの距離Ｌ４は常に小さくなるようにしてあるため、これにより杆体４は、挟持位置から挟持体２よりも先行して杆体が立ち上がり、図４（ｃ）に原理的に示すように挟持体２から受ける力Ｆの少なくとも一部を該杆体４の回転中心に向かう圧縮応力ｆ１に変換して支持するようになり、それは立ち上がりの角度が大きくなる程顕著となる。そして、これにより挟持体に作用する付勢力が減殺される上に、原理的には挟持体２のアーム部２２と杆体４のアーム部４２との間には上記ｆ１以外の分力ｆ２に応じた摺動抵抗μｆ２が働き、一定の安定を崩す外力を加えない限り相対摺動が惹起されない状態になる。挟持体２と杆体４とで回転しようとする方向が常に異なる点も相対摺動を抑止する要因として作用している。したがって、挟持体２を杆体４とともにある程度回転させて立ち上げると、相互に拘束し合って、手を放しても紙葉類Ｓを開放し得る開放位置にこれらを止どめることができる。
【００２２】
このため、挟持体２を保持するために操作力を加え続ける必要がなく、紙葉類Ｓの台板１への載置作業等を必要であれば両手を使って有効に行うことができる。したがって、操作の便が向上し、紙葉類Ｓの枚数が多くなった場合でも端縁を揃えてこれらをセットする作業を的確に行うことが可能となる。
【００２３】
特に、この実施形態では、杆体４により挟持体２を持ち上げるようにしており、杆体４が、挟持体２を回転操作する操作部の役割を兼ねる上に、挟持位置において杆体４は挟持体２と共に台板１上に接地し、協働して台板１との間に紙葉類Ｓを挟持する役割も果たすため、本発明の用箋挟みとしての構造の簡素化と機能の充実とを有効に両立させることができる。勿論、杆体４の基端４１に対しても、挟持体２を開放位置に保持するという機能が損なわなければ、第２の基盤部材１２の軸受部１２ｂ内にねじりコイルバネ等の付勢手段を設けて台板１方向に弾性付勢しておく構成を採用することもできる。
【００２４】
とりわけ、挟持体２はアーム部２２、押さえ部２３を具備する杆状をなし、杆体４はアーム部４２及び操作部４３を具備する杆状をなしていて、アーム部２２，４２同士が略平行、押さえ部２３と操作部４３が略平行をなしているものである。そして、杆体４のアーム部４２の一部に挟持体２のアーム部２２と交叉する係わり合い部分４２ａを設け、その交叉する部分において杆体４のアーム部４２に挟持体２のアーム部２２を下方から摺動可能に支持させるようにしているため、簡素な構造を通じて本発明の機能を有効に付与することができる。特に、本実施形態において、杆体４は、回転中心４ｘから力点であるその操作部４３までの距離よりも回転中心４ｘから作用点である挟持体２との係わり合いの位置Ｐまでの距離の方が小さくなるため、てこの作用が働き、挟持体２を直接操作する場合に比べて操作力は有効に軽減されたものとなる。
【００２５】
具体的には、挟持体２が、左右のアーム部２２の先端側を押さえ部２３により連絡された少なくとも部分ループ状をなし、杆体４が、左右のアーム部４２の先端側を操作部４３により連絡された少なくとも部分ループ状をなしており、挟持体２及び杆体４が、同一の線条体を塑性変形加工することによって構成されているため、押さえや操作のための領域を必要に応じ十分に確保してその機能を充実させることができるうえ、製作容易で外観の統一も有効に図ることができる。
【００２６】
なお、各部の具体的な構成は、上述した実施形態のみに限定されるものではない。例えば、上記実施形態における挟持体と杆体の配置の態様は、挟持位置において、挟持体２の押さえ部２３と杆体４の操作部４３とが台板１の面方向に沿って並列配置されるものであったが、挟持位置において、図５及び図６に示すように挟持体２の押さえ部２３と杆体４の操作部４３とが台板１の法線方向に沿って重合配置されるように構成することもできる。そして、これらの形態は、使途である紙葉類の種類、需要者の趣向などに応じて適宜選択して実施することができる。
【００２７】
また、上記実施形態では、杆体４のアーム部４２の一部に挟持体２のアーム部２２の一部と交叉して係わり合う係わり合い部分４２ａを設けたが、逆に挟持体２のアーム部２２の一部に縁部に沿って延びる部分を設けて、径方向に延びる杆体４のアーム部４２と交叉させて係わり合わせるようにすることもできる。
【００２８】
次に、本発明の第２実施形態を図７〜９を参照して説明する。
【００２９】
この実施形態の用箋挟みは、前記第１実施形態とほぼ同様に、台板１と、狭持体１０２と、付勢手段１０３（図示省略）と、杆体１０４とを具備する。
【００３０】
具体的に説明すると、台板１の一側縁側の縁部１ａ近傍の上面に、基盤部材１０１１を取り付けている。基盤部材１０１１は平板部１０１１ａを台板１に固定され、平板部１０１１ａの長手方向に沿って両端に狭持体１０２の基端部１０２１及び後述する中央部１０２５を内包し得るように筒状に折り曲げた第１の軸受部１０１１ｂを設けるとともに、第１の軸受部１０１１ｂの長手方向に沿って内側に隣接する位置であって第１の軸受部１０１１ｂに対して縁部１ａから遠い側に杆体１０４の基端を内側に内包し得るように筒状に加工した第２の軸受部１０１１ｃを形成し、基盤部材１０１１に狭持体１０２及び杆体１０４を回転可能に取り付けている。
【００３１】
狭持体１０２は、縁部１ａに沿って延び前記基盤部材１０１１に回転可能に支持される一対の基端部１０２１と、この各基端部１０２１から折り曲げられて径方向に湾曲して延びるアーム部１０２２と、この左右のアーム部１０２２の先端側から台板１の縁部１ａに沿って延びる押さえ部１０２３と、押さえ部から径方向に湾曲して延びるアーム部１０２４と、アーム部１０２４から押さえ部１０２３に略平行して延びる前記中央部１０２５とを具備するものであり、各部が上記の順に連続してなり、単一の金属製線材を塑性変形加工して作られている。基端部１０２１は前記基盤部材１０１１の第１の軸受部１０１１ｂ内に設けたねじりコイルバネ等の付勢手段（図示省略）によって押さえ部１０２３を台板１に向けて圧接する方向に弾性付勢されている。
【００３２】
一方、杆体１０４は、前記狭持体１０２の基端部１０２１と反対方向に略平行に延びる基端部１０４１と、この基端部１０４１から折り曲げられて一部が前記狭持体１０２のアーム部１０２２と略平行に延びるアーム部１０４２と、このアーム部１０４２の先端側から前記狭持体１０２の押さえ部１０２３と略平行に延びる操作部１０４３とを具備するものであり、各部が上記の順に連続してなり、前記と同一の金属製線材を塑性変形加工して作られている。この杆体１０４は、基端部１０４１から径方向へ変位したアーム部１０４２の一部に、狭持体１０２のアーム部１０２４と交叉し、このアーム部１０２４の外側よりその下方を通過して内側に抜ける係わり合い部分１０４２ａを設けており、操作部１０４３を面方向に沿って押さえ部１０２３に対し縁部１ａから遠い側に略平行に位置付けている。
【００３３】
このように構成される用箋挟みであっても、狭持体１０２を杆体１０４とともにある程度回転させて立ち上げると、相互に拘束し合って、手を放しても紙葉類Ｓを開放し得る開放位置にこれらを止めることができ、前記実施形態と同様の作用効果を奏することができる。また本実施形態の用箋挟は、前記実施形態と比較して、基盤部分１０１１に狭持体１０２及び杆体１０４を取り付けるため、部品点数を有効に削減することができ、構造の簡素化を図ることができる。
【００３４】
その他本発明は上記実施例に限られず、例えば図示例では台板の長辺側の縁部に沿って挟持体、杆体を設けているが、短辺側の縁部に沿ってこれらを設けてもよいのは勿論である。
【００３５】
その他の構成も、本発明の趣旨を逸脱しない範囲で種々変形が可能である。
【００３６】
【発明の効果】
本発明は、以上説明した構成であるから、台板を足場にして挟持体を持ち上げた状態を維持しながら紙葉類の挿脱を行うといった煩わしい操作を不要にして簡単、適切に紙葉類の挿脱を行うことが可能になり、従来に比べて用箋挟みとしての使い勝手を格段に向上させることが可能となる。
【図面の簡単な説明】
【図１】本発明の一実施形態を示す斜視図。
【図２】同要部斜視図。
【図３】同平面図。
【図４】同作用説明図。
【図５】本発明の変形例を示す図２に対応した図。
【図６】同変形例の図４に対応した図。
【図７】本発明の変形例を示す図１に対応した図。
【図８】同変形例の図２に対応した図。
【図９】同変形例の図４に対応した図。
【符号の説明】
Ｓ…紙葉類
１…台板
１ａ…縁部
２、１０２…挟持体
３、１０３…付勢手段
４、１０４…杆体
２２、１０２２、１０２４…アーム部
２３、１０２３…押さえ部
４２、１０４２…アーム部
４３、１０４３…操作部
【図１】
2004058537.tif 000003
【図２】
2004058537.tif 000004
【図３】
2004058537.tif 000005
【図４】
2004058537.tif 000006
【図５】
2004058537.tif 000007
【図６】
2004058537.tif 000008
【図７】
2004058537.tif 000009
【図８】
2004058537.tif 000010
【図９】
2004058537.tif 000011